【事件の表示】
　平成　８年特許願第３５１９１８号「受信装置及び受信処理方法」拒絶査定不服審判事件〔平成１０年　６月２６日出願公開、特開平１０−１７３５６１〕について、次のとおり審決する。
【結　論】
　本件審判の請求は、成り立たない。
【理　由】
１．手続の経緯・本願発明
　本願は、平成８年１２月１１日の出願であって、その請求項１に係る発明は、平成１６年１１月５日付けの手続補正書により補正された明細書及び図面の記載からみて、その特許請求の範囲の請求項１に記載されたとおりの次のものと認める。（以下、「本願発明」という。）
「送信されてくる情報を受信する受信手段と、
　受信する情報を予約設定する設定手段と、
　この設定手段により受信を予約設定された情報を示す予約情報と、前記情報の受信を予約設定した者を示す識別情報とを関連付けて記憶する設定記憶手段と、
　この設定記憶手段に記憶された前記予約情報が示す情報を前記受信手段に受信させる受信制御手段と、
　この受信制御手段が前記受信手段に受信させた情報である受信情報を、当該受信情報を示す前記予約情報に関連付けて前記設定記憶手段に記憶された前記識別情報と対応させて所定の情報記憶手段に記憶させる記憶制御手段と、
　を備えたことを特徴とする受信装置。」
　
２．引用例
　原査定の拒絶の理由に引用された特開平４−４２４５４号公報（以下、「引用例」という。）には、図面とともに次の事項が記載されている。
　
Ａ．「Ｂ発明の概要
　本発明は、番組予約装置において、各番組に対応する管理データに予約者データを割り当てることにより、予約者が番組の登録状況を容易かつ確実に把握することができる。」（第２頁左上欄第４〜８行）
　
Ｂ．「Ｇ実施例
　以下図面について、本発明をビデオテープレコーダに適用した場合の一実施例を詳述する。
（Ｇ１）ビデオテープレコーダの全体構成
　第１図において、１は全体としてビデオテープレコーダ（ＶＴＲ）を示し、映像信号処理部２を介して入力される録画映像信号Ｓ１をビデオテープレコーダ本体３に供給することによりこれを録画すると共に、再生映像信号Ｓ２を映像信号処理部２を介して映像出力信号Ｓ３としてモニタ４に供給する。
　これに加えて制御管理データ処理部５が設けられ、リモートコントロール制御器６から与えられる入出力情報信号Ｓ４をリモートコントロール送受信器７を介して制御管理データ処理用中央処理ユニット（ＣＰＵ）８に取り込むことにより、バス９に制御情報を送出し、これにより映像信号処理部２及びビデオテープレコーダ本体３を構成する回路要素を制御すると共に、バス１０を介して制御情報Ｓ６をビデオテープレコーダ本体３のメカニズム制御用中央処理ユニット１１との間に受渡しすることにより、ビデオテープレコーダ本体３を構成するメカニズム要素に対する制御信号Ｓ７を発生するようになされている。
　映像信号処理部２はチューナ２１において受信した受信映像信号Ｓ１１、外部の映像信号ソース源の入力ラインから供給される外部映像信号Ｓ１２及び内部同期回路２２において発生される内部同期信号Ｓ１３を入力選択回路２３を通じてスーパーインポーズフェーダ回路２４に入力し、かくしてスーパーインポーズフェーダ回路２４の出力端に録画映像信号Ｓ１を得るようになされている。
　録画映像信号Ｓ１は記録切換回路３１を通じて録画回路３２に供給され、記録モード時電磁変換回路３３を介して磁気ヘッド３４によってビデオカセット３５のビデオテープ３６に記録される。」（第２頁右下欄第２行〜第３頁左上欄第１８行）
　
Ｃ．「（Ｇ２）ビデオテープレコーダの機能ブロック
　制御管理データ処理用ＣＰＵ８は第２図に示すような機能ブロックに従ってビデオテープレコーダを全体として制御する。
　すなわちＣＰＵ８はキーボード１２から指令入力を受けたとき、ブロックＢＫ１においてインタラプト処理手段として機能した後、ブロックＢＫ２においてシステムスケジュール手段及びデータベース保持手段として機能する。このときシステムスケジュール手段及びデータベース保持手段はシステム全体の時系列を管理しながらブロックＢＫ３のタイマ予約データベース作成手段との間の交信をしてブロックＢＫ４によって示される人工知能モジュールとしての機能と、ブロックＢＫ５に示す適用処理手段としての機能とを実行する。
　・・・（中略）・・・
　適用処理手段ＢＫ５において、ＣＰＵ８はモジュール処理手段ＢＫ５Ａによって管理データベースモジュールＢＫ５Ｂ、ユーザの好みモジュールＢＫ５Ｃ、システム設定モジュールＢＫ５Ｄ及びタイマ予約モジュールＢＫ５Ｅの機能を実行する。」（第４頁左上欄第１５行〜左下欄第４行）
　
Ｄ．「（Ｇ３）ビデオテープの記録フォーマット
　ビデオテープ３６は第３図に示すように、テープ走行方向ａを斜めに横切るヘッド走査方向ｂに沿うように形成された互いに異なるアジマス角を有するビデオ記録トラックＴＡ及びＴＢをテープ走行方向ａの方向に順次隣接するように形成し、このビデオ記録トラックＴＡ及びＴＢの突入側端の外側縁部にコントロール信号ＣＴを記録すると共に、ビデオテープ３６の離脱側縁部に２チャンネル分のオーディオ記録トラックＣＨ１及びＣＨ２を形成するようになされている。
　ビデオテープ３６の記録開始先頭部には所定のトラック数分のビデオ記録トラックＴＡ及びＴＢに亘って管理データベースビデオトラック記録領域ＦＡＶＶが設けられ、当該管理データベースビデオトラック記録領域ＦＡＶＶに続いて、各ビデオ記録トラックＴＡ及びＴＢにそれぞれ１フイ一ルド分のビデオ信号を記録してなるビデオ信号記録領域ＦＶＤが形成されている。
　管理データベースビデオトラック記録領域ＦＡＶＶに属する記録トラックＴＡ及びＴＢにはそれぞれ第４図に示す構成の管理データＤＡＶが記録される。
　管理データＤＡＶはボリューム情報ブロックＤＶＭ及び番組情報ブロックＤＰＲをその順序で記録トラックＴＡ及びＴＢの先頭側から順次記録するようになされている。」（第４頁左下欄末行〜第５頁左上欄第６行）
　
Ｅ．「これに対して番組情報ブロックＤＰＲは第４図に示すように、ビデオカセット３５のビデオテープ３６に記録された番組情報に対応するように第６図に示すような番組情報ＤＰＲＸによって構成されている。
　・・・（中略）・・・
　項目Ｂ７は「入力ソース」を表し、例えば１〔バイト〕のデータによって当該番組を何処から得たかを表す入力ソースを記録する。
　この実施例の場合チューナ２１（第１図）において選局されるチャンネル番号、外部ライン映像信号Ｓ１２の外部ライン番号がソース内容を表す情報として書き込まれる。
　・・・（中略）・・・
　項目Ｂ９は「記録開始時刻」を表し、例えば５〔バイト〕のデータによって予約又は録画済番組の開始時刻を記録する。
　この実施例の場合第１、第２、第３、第４、第５バイトに順次「分」、「時」、「日」、「月」、「年」を２進化１０進数によってユーザが書き込むようになされている。
　項目Ｂ１０は「記録終了時刻」を表し、例えば２バイトのデータによって予約又は録画済番組の終了時刻を記録する。
　この実施例の場合第１、第２バイトに「分」、［時」データを２進化１０進数によって書き込む。
　項目Ｂｌｌは「予約録画制御情報」で、例えば１０〔バイト〕のデータによって予約録画実行時にビデオテープレコーダ本体３（第１図）を予約録画動作させると共に、これと応動動作させるべき周辺機器を制御するための情報を記録する。
　項目Ｂ１２は「タイトル」を表し、例えば４０〔バイト〕のデータによってタイトルを表す文字情報をユーザが書き込む。
　項目Ｂ１３は「予約者データ」を表し、例えば１０〔バイト〕のデータによって録画予約情報を入力したユーザ名を記録する。」（第７頁左上欄第５行〜第８頁右上欄第３行）
　
Ｆ．「（Ｇ４）ビデオテープレコーダの設定処理
　ＣＰＵ８はリモートコントロール制御器６又はキーボード１２から入力される指令信号に基づいて制御管理データ処理部５、映像信号処理部２及びビデオテープレコーダ本体３を第７図、第８図及び第９図に示す処理プログラムＲＴ０、ＲＴ１及びＲＴ３１に従って処理することによりユーザが指定した動作状態に制御する。
　・・・（中略）・・・
　この指令待受状態はステップＳＰ２において否定結果が得られたときにも引き続き保持され、かくして当該指令待受状態において「管理データベース」、「システム設定」、「好みの設定」及び「タイマ予約」項目を選択的に指定操作できる状態になる。
　実際上ＣＰＵ８はこの指令待受状態において、リモートコントロール制御器６（又はキーボード１２）においてメニュー表示モード指定キー６Ｅが操作されたとき、表示画面６Ａ及び４Ａに「管理データベース」、「システム設定」、「好みの設定」及び「タイマ予約」の動作モード指定表示をさせることにより、ユーザがその１つの動作モードをクリック操作によって指定できるようになされている。」（第８頁右上欄第４行〜第９頁左上欄第１行）
　
Ｇ．「「管理データベース」モードは、ビデオテープ３６（第３図）の管理データベースビデオトラック記録領域ＦＡＶＶ又は管理データベースオーディオトラック記録領域ＦＡＶＡに対して管理データＤＡＶ（第４図）を記録し、又は当該記録された管理データＤＡＶを用いてビデオテープレコーダ本体３を駆動制御する動作モードで、ＣＰＵ８はステップＳＰ６においてメニュー表示項目のうち「管理データベース」項目がクリックされたときステップＳＰ７において管理データＤＡＶが記録されたテープ（これを管理データテープと呼ぶ）を有するビデオカセット３５がセットされているか否かを判断し、セットされているときサブルーチンＲＴ１において管理データベースの各種の処理を実行した後、ステップＳＰ８において管理データベースの内容が変更されたか否かを判断し、変更されているときステップＳＰ９において管理データベースビデオトラック記録領域ＦＡＶＶ又は管理データベースオーディオトラック記録領域ＦＡＶＡの記録データを変更後の管理データに書き換えるような処理を実行する。
　かくして管理データベースについての処理が終了し、ステップＳＰ１０において電源がオフになったか否かを判断し、否定結果が得られたとき上述の指令待受状態に戻り、また肯定結果が得られたときステップＳＰ１１において当該入力情報処理プログラムを終了する。
　上述の管理データベースの各種処理ルーチンＲＴ１に入るとＣＰＵ８は、第８図に示すように、ステップＳＰ２１において管理データリストをリモートコントロール制御器６の表示画面６Ａ及びモニタ４の表示画面４Ａに表示した後、指令待受状態になる。
　このとき表示画面上には「ラベル」、「予約取消」、「オート再生」、「マニュアル予約」、「番組情報確認」及び「管理データ予約」項目が表示され、これによりその１つの項目を指定できるような状態になっている。
　・・・（中略）・・・
　またユーザが「マニュアル予約」項目をクリックすると、ＣＰＵ８は順次所定数の番組についてマニュアル設定を受け付け、これを管理データとして入力する。
　・・・（中略）・・・
　さらに管理データリストを表示している指令待受状態において、ユーザが「管理データ予約」項目をクリックすると、ＣＰＵ８は管理データサブルーチンＲＴ３に入ってその処理手順の一部を構成する第９図に示すような予約モードを切り換えるための管理データ予約処理手順ＲＴ３１を実行する。
　このときＣＰＵ８はステップＳＰ４１においてユーザに対してタイマ予約モードを選択させる。
　・・・（中略）・・・
　かくしてユーザの指定入力操作が終了すると、ＣＰＵ８は管理データ予約入力処理を終了して第８図の管理データベースの処理ループに戻る。
　このときＣＰＵ８は続いて「登録」項目、「変更」項目及び「照会」項目を表示画面上に表示し、ステップＳＰ５１、ＳＰ５２及びＳＰ５３においてユーザが当該「登録」項目、又は「変更」項目、又は「照会」項目をクリックすることによりこれを実行する処理に入る。
　ここでＣＰＵ８はクリックされた項目の処理をするにつき、ステップＳＰ５４、ＳＰ５５及びＳＰ５６においてそれぞれカレンダ予約表、１週間予約表、１日予約表をユーザの選択に応じて表示し得るようになされ、当該カレンダ予約表、又は１週間予約表、又は１日予約表上に予約番組の開始時刻及び又は終了時刻を書き込ませるようになされている。
　かかる処理が済むとＣＰＵ８は、上述のステップＳＰ２８において当該管理データベースの処理プログラムを終了し、ステップＳＰ２９から管理データベース処理ループ（第７図）に戻る。」（第９頁左上欄第２行〜第１１頁左上欄第１１行）
　
Ｈ．「以上は第７図の初期指令待受状態において、ステップＳＰ６において「管理データベース」項目をクリックすることよって管理データをビデオテープ上に記録、変更、確認する処理であるが、当該初期指令待受状態においてその他の指定項目、すなわち「システム設定」項目、又は「好みの設定」項目、又は「タイマ予約」項目をユーザがクリックした場合には、ＣＰＵ８はビデオテープレコーダ１の各部の動作条件を設定する処理を実行する。
　・・・（中略）・・・
　さらに初期指令待受状態において、ユーザが続くステップＳＰ８１において、「タイマ予約」項目をクリックすると、ＣＰＵ８は表示画面上に「登録」項目、「変更」項目及び「照会」項目を表示し、ユーザがステップＳＰ８２、ＳＰ８３又はＳＰ８４において各項目をクリックすると、表示画面上に「カレンダ予約表」項目、「１週間予約表」項目及び「１日予約表」項目が表示された状態になる。続いてその１つをユーザが指定すると、ＣＰＵ８はステップＳＰ８５、ＳＰ８６又はＳＰ８７においてそれぞれカレンダ予約表、又は１週間予約表、又は１日予約表を表示させることにより当該予約表を利用して番組の予約をさせる。
　かくしてＣＰＵ８は当該タイマ予約処理ループの処理を終了すると、上述のステップＳＰ１０に移る。
　このようにしてＣＰＵ８は第７図の人力情報処理プログラムＲＴ０を実行することにより、ユーザが入力した入力データに基づいてビデオテープレコーダ本体３を確実に制御することができる。
（Ｇ５）予約者データの入力
　ＣＰＵ８は第７図のステップＳＰ８１において実行する「タイマ予約」及び第８図のサブルーチンＲＴ３において実行する「管理データ予約」項目がユーザにより指定されると、予約者データＤＰＲＧの入力待ち受け状態になり、キーボード１２又はリモートコントロール制御器６によって、予約者名ＤＮＡＭＥ、例えば「ＣＨＩＣＨＩ」、を入力させる。
　ここで予約者名ＤＮＡＭＥの入力は１文字１文字順次入力しても良く、また予めユーザが登録した予約者名リストの中から選択して入力するようにしても良い。
　ＣＰＵ８は予約者名ＤＮＡＭＥの入力が終了すると当該予約者名ＤＮＡＭＥをバス９を介してレジスタ４４の管理データメモリに格納されている番組情報ＤＰＲＸの項目Ｂ１３に予約者データＤＰＲＧとして書き込む。
　これと共に、ＣＰＵ８は表示画面４Ａ及び６Ａ上に「登録」項目、「変更」項目及び「照会」項目を表示し、ユーザが各項目をステップＳＰ５１〜ＳＰ５３又はＳＰ８２〜ＳＰ８４においてクリックするのを待ち受け、続いてステップＳＰ５４〜ＳＰ５６又はＳＰ８５〜ＳＰ８７においては「カレンダ予約表」、「１週間予約表」及び「１日予約表」項目を表示することにより当該予約表を利用して番組の予約をさせる。
　やがて当該タイマ予約処理ループの処理が終了し、予約番組の開始時刻及び又は終了時刻の入力が終了すると、ＣＰＵ８は第１２図に示すように、表示画面４Ａ及び６Ａに登録済の予約番組の時間帯を表す予約表示ＤＩＳＰ１を表示させる。
　・・・（中略）・・・
　以上の構成によれば、新規登録番組を複数名のユーザの共用にかかるビデオテープレコーダに予約登録する際に、予め予約者名を登録するようにしたことにより、予約番組が誰によって予約されたか確認できると共に、各ユーザ個人の予約データのみを検索表示でき、各ユーザは各ユーザごとに予約状況を簡易かつ確実に把握することができる。」（第１１頁左上欄第１２行〜第１３頁左上欄第５行）
　
Ｉ．「（４）上述の実施例においては、予約登録された番組の番組情報ＤＰＲＸに予約者名ＤＮＡＭＥでなる予約者データＤＰＲＧを付加する場合について述べたが、本発明はこれに限らず、録画済の番組にも予約者データＤＰＲＧを付加して記憶させるようにすれば、各ユーザごとに過去の録画データを表示して、どの録画番組を再生するか選ぶこともできる。」（第１３頁右上欄第１２〜１８行）
　
　上記Ａ〜Ｉの記載及び関連する図面を参照すると、次のことがいえる。
　
（あ）上記Ｂに「チューナ２１において受信した受信映像信号Ｓ１１」と記載されており、引用例のものは、「映像信号を受信するチューナ」を備えている。
　
（い）上記Ｆの「リモートコントロール制御器６（又はキーボード１２）においてメニュー表示モード指定キー６Ｅが操作されたとき、表示画面６Ａ及び４Ａに「管理データベース」、「システム設定」、「好みの設定」及び「タイマ予約」の動作モード指定表示をさせることにより、ユーザがその１つの動作モードをクリック操作によって指定できるようになされている。」との記載、上記Ｇの「「管理データベース」モード」における「タイマ予約モード」に関する記載、及び上記Ｈの「「タイマ予約」項目をユーザがクリックした場合」に関する記載を参照すると、引用例のものにおける「リモートコントロール制御器（又はキーボード）」は、「受信映像信号を予約設定する」動作を行うものである。
　
（う）上記Ｈの「（Ｇ５）予約者データの入力」の項において、「ＣＰＵ８は予約者名ＤＮＡＭＥの入力が終了すると当該予約者名ＤＮＡＭＥをバス９を介してレジスタ４４の管理データメモリに格納されている番組情報ＤＰＲＸの項目Ｂ１３に予約者データＤＰＲＧとして書き込む。」と記載されている。
　ここで、「番組情報ＤＰＲＸの項目Ｂ１３」に「予約者データＤＰＲＧ」として書き込まれる「予約者名ＤＮＡＭＥ」は、上記Ｅの記載及び第６図を見ると、番組情報ＤＰＲＸの「項目Ｂ７」の「入力ソース」、「項目Ｂ９」の「記録開始時刻」、「項目Ｂ１０」の「記録終了時刻」等に関連付けて記憶されるものである。
　そして、上記「入力ソース」、「記録開始時刻」、「記録終了時刻」等の情報は、映像信号の録画予約をする場合の「予約情報」となるものである。
　よって、引用例のものにおける「管理データメモリ」は、「リモートコントロール制御器（又はキーボード）により受信を予約設定された映像信号を示す予約情報と、前記映像信号の受信を予約設定した者を示す予約者データとを関連付けて記憶する」ものであるということができる。
　
（え）上記Ｅに「項目Ｂ７は「入力ソース」を表し、例えば１〔バイト〕のデータによって当該番組を何処から得たかを表す入力ソースを記録する。この実施例の場合チューナ２１（第１図）において選局されるチャンネル番号、外部ライン映像信号Ｓ１２の外部ライン番号がソース内容を表す情報として書き込まれる。」と記載されている。
　ここで、「入力ソース」として「チューナ２１」において選局される「チャンネル番号」が書き込まれている場合、「記録開始時刻」になったときにそのチャンネル番号の映像信号を「チューナ２１」によって受信させる動作が「ＣＰＵ８」の制御のもとに開始されることは自明である。
　
（お）上記Ｉに「録画済の番組にも予約者データＤＰＲＧを付加して記憶させるようにすれば、各ユーザごとに過去の録画データを表示して、どの録画番組を再生するか選ぶこともできる。」と記載されており、「録画済の番組」に「予約者データＤＰＲＧ」を付加して記憶させることが示唆されている。その場合、「録画済の番組に予約者データを付加して記憶させる」ための何らかの手段が存在すると解される。
　
　上記（あ）〜（お）の事項を踏まえると、引用例には、実質的に、次の発明が記載されているものと認められる。（以下、「引用例記載の発明」という。）
「映像信号を受信するチューナと、
　受信映像信号を予約設定するリモートコントロール制御器（又はキーボード）と、
　このリモートコントロール制御器（又はキーボード）により受信を予約設定された映像信号を示す予約情報と、前記映像信号の受信を予約設定した者を示す予約者データとを関連付けて記憶する管理データメモリと、
　この管理データメモリに記憶された前記予約情報が示す映像信号を前記チューナに受信させるＣＰＵと、
　録画済の番組に予約者データを付加して記憶させる手段と、
　を備えたビデオテープレコーダ。」
　
３．対比
　本願発明と引用例記載の発明とを対比すると、次のことがいえる。
　
（ア）引用例記載の発明における「チューナ」が受信する「映像信号」は、放送局から送信されてくるものであり、また、何らかの情報を含んでいることは自明であるから、本願発明における「送信されてくる情報」に相当するものである。
　そして、引用例記載の発明における「映像信号を受信するチューナ」は、本願発明における「送信されてくる情報を受信する受信手段」に相当する。
　
（イ）引用例記載の発明における「受信映像信号を予約設定するリモートコントロール制御器（又はキーボード）」は、本願発明における「受信する情報を予約設定する設定手段」に相当する。
　
（ウ）引用例記載の発明における「予約者データ」、「管理データメモリ」、「ＣＰＵ」、「ビデオテープレコーダ」は、それぞれ、本願発明における「識別情報」、「設定記憶手段」、「受信制御手段」、「受信装置」に相当する。
　
（エ）引用例のものにおいては、録画済の番組に「予約者データ」を付加して記憶させることにより、「ビデオテープ」に記録された録画済みの映像信号と「予約者データ」とは、結果として対応付けがなされることになる。
　一方、本願発明においては、「受信制御手段が受信手段に受信させた情報である受信情報」を、「当該受信情報を示す予約情報に関連付けて設定記憶手段に記憶された識別情報」と対応させて所定の情報記憶手段に記憶させることにより、やはり、「所定の情報記憶手段」に記憶された「受信制御手段が受信手段に受信させた情報である受信情報」と、「識別情報」とは、対応付けがなされることになる。
　ここで、引用例のものにおける「ビデオテープ」は、「ＣＰＵ」が「チューナ」受信させた「映像信号」を記録するものであるから、本願発明における「所定の情報記憶手段」に対応するものである。
　よって、本願発明と引用例記載の発明とは、「所定の情報記憶手段に記憶された『受信制御手段が受信手段に受信させた情報である受信情報』と、『識別情報』とが対応付けされる」ものである点で共通するということができる。
　
　上記（ア）〜（エ）の事項を踏まえると、本願発明と引用例記載の発明とは、次の点で一致し、また相違する。
　
（一致点）
　本願発明と引用例記載の発明とは、ともに、
「送信されてくる情報を受信する受信手段と、
　受信する情報を予約設定する設定手段と、
　この設定手段により受信を予約設定された情報を示す予約情報と、前記情報の受信を予約設定した者を示す識別情報とを関連付けて記憶する設定記憶手段と、
　この設定記憶手段に記憶された前記予約情報が示す情報を前記受信手段に受信させる受信制御手段と、を備え、
　所定の情報記憶手段に記憶された『受信制御手段が受信手段に受信させた情報である受信情報』と、『識別情報』とが対応付けされるものである、
　受信装置。」
である点。
　
（相違点）
　本願発明は、「受信制御手段が受信手段に受信させた情報である受信情報を、当該受信情報を示す予約情報に関連付けて設定記憶手段に記憶された識別情報と対応させて所定の情報記憶手段に記憶させる記憶制御手段」を備えるのに対し、引用例のものは、「ビデオテープ」に記録された録画済みの映像信号と「予約者データ」とが対応付けされるようになっているものの、上記のような手段を備えるとはされていない点。
　
４．当審の判断
　そこで、上記相違点について検討する。
　引用例の上記Ｉの「録画済の番組にも予約者データＤＰＲＧを付加して記憶させるようにすれば、各ユーザごとに過去の録画データを表示して、どの録画番組を再生するか選ぶこともできる。」との記載によれば、「録画済の番組」に「予約者データＤＰＲＧ」を付加して記憶させるのは「各ユーザごとに過去の録画データを表示して、どの録画番組を再生するか選ぶこともできる」ようにするためであるから、この場合の「各ユーザ」として、過去に番組を録画するにあたって当該番組の録画予約をした者を想定することは、ごく自然のことである。
　してみれば、引用例記載の発明において、「録画済の番組」に付加して記憶させる「予約者データ」を、当該番組を示す予約情報に関連付けて管理データメモリに記憶された予約者データ（本願発明における「当該受信情報を示す予約情報に関連付けて設定記憶手段に記憶された識別情報」）とすることは、ごく普通になし得ることにすぎない。
　そして、「受信制御手段が受信手段に受信させた情報である受信情報」と、「当該受信情報を示す予約情報に関連付けて設定記憶手段に記憶された識別情報」との対応付けをどのようなタイミングで行うかについては、上記「当該受信情報を示す予約情報に関連付けて設定記憶手段に記憶された識別情報」は、予約時点で形成される情報なのであるから、該「識別情報」は、「受信制御手段」が「受信手段」に「情報」を受信させて「記憶制御手段」が該「情報」を「所定の情報記憶手段」に記憶させる時点では、すでに形成された情報である。してみれば、すでに形成された情報であるところの「識別情報」と、「受信制御手段が受信手段に受信させた情報である受信情報」との対応付けを、「受信制御手段」が「受信手段」に「情報」を受信させて「記憶制御手段」が該「情報」を「所定の情報記憶手段」に記憶させる時点で行うようにすることは、当業者が適宜に設計できる事項にすぎない。
　よって、引用例記載の発明において、「受信制御手段が受信手段に受信させた情報である受信情報を、当該受信情報を示す予約情報に関連付けて設定記憶手段に記憶された識別情報と対応させて所定の情報記憶手段に記憶させる記憶制御手段」を備えるようなものとすることは、当業者が適宜になし得ることである。
　
　そして、本願発明の構成によってもたらされる効果も、引用例記載の発明から当業者ならば容易に予測することができる程度のものであって、格別のものとはいえない。
　
５．むすび
　以上のとおり、本願発明は、引用例記載の発明に基いて、当業者が容易に発明をすることができたものであるので、特許法第２９条第２項の規定により特許を受けることができない。
　したがって、本願は、他の請求項について検討するまでもなく、拒絶されるべきものである。
　よって、結論のとおり審決する。